(57)【要約】【課題】噛込み易い電線がある場合でも、その電線が入り組んだり周辺部品間に噛み込まれたりするのを防止できる電気接続箱の電線噛込み防止構造を提供する。【解決手段】一面側に電線接続部１１ａが形成されるとともに、他面側に電気接続又は回路保護用の実装部品５１が実装された配電ブロック１１と、その電線接続部１１ａに接続する複数の電線１３ａとを備える電気接続箱にあって、配電ブロック１１に対し接続面方向のうち特定直線方向Ｍに変位可能に設けられるとともに、その方向の一方側に開く凹状の電線ガイド部２５ａを形成する第１ガイド部材２５と、第１ガイド部材２５に対し相対変位および相対位置決め可能に支持された第２ガイド部材２６と、が設けられ、両ガイド部材２５、２６の間に、配電ブロック１１に近接する追加の電線３１ａを案内可能で、かつガイド幅可変の追加の電線ガイド部２７が形成されている。【選択図】図１
2018085821.tif 000002
【特許請求の範囲】
【請求項１】
一面側に電線接続部が形成されるとともに、他面側に電気接続用又は電気回路保護用の部品が実装される部品実装面が形成された配電ブロックと、前記配電ブロックの前記電線接続部に接続する複数の電線と、を備える電気接続箱にあって、
前記配電ブロックに対し前記一面側の面方向のうち特定直線方向に変位可能に設けられるとともに、該特定直線方向の一方側に開く凹状の電線ガイド部を形成する第１ガイド部材と、
前記第１ガイド部材に対し前記特定直線方向と交差する方向に相対変位および相対位置決め可能に支持された第２ガイド部材と、が設けられ、
前記第１ガイド部材および前記第２ガイド部材の間に、前記配電ブロックに近接する追加の電線を案内可能で、かつガイド幅可変の追加の電線ガイド部が形成されていることを特徴とする電気接続箱の電線噛込み防止構造。
【請求項２】
前記配電ブロックが、オプション用の配電ユニットが選択的に取り付けられるオプション取付部を有しており、
前記配電ブロックの前記オプション取付部に前記オプション用の配電ユニットが取り付けられたとき、前記オプション用の配電ユニットの電線が、前記追加の電線ガイド部によって、前記第１ガイド部材の前記電線ガイド部から出た前記オプション用の配電ユニットの電線に沿うように導出可能な所定方向に案内されていることを特徴とする請求項１に記載の電気接続箱の電線噛込み防止構造。
【請求項３】
前記配電ブロックの前記オプション取付部に前記オプション用の配電ユニットが取り付けられるとともに、
前記第２ガイド部材が、前記オプション用の配電ユニットに対して、前記配電ブロックの前記一面側から前記特定直線方向に摺動可能に係合していることを特徴とする請求項２に記載の電気接続箱の電線噛込み防止構造。
【請求項４】
前記配電ブロックを収納するケースと、
前記ケースに対して前記配電ブロックの前記一面側を覆うように装着されたカバー部材と、をさらに備え、
前記カバー部材が、前記複数の電線を前記ケースの外部に導出する電線導出部を有することを特徴とする請求項１ないし３のいずれか一項に記載の電気接続箱の電線噛込み防止構造。
【発明の詳細な説明】
【技術分野】
【０００１】
本発明は、電気接続箱の電線噛込み防止構造に関し、特にオプションで搭載される車載電装品用の配電ユニットを装着可能な場合に好適な電気接続箱の電線噛込み防止構造に関する。
【背景技術】
【０００２】
車両用のヒューズボックスやリレーボックス等の電気接続箱においては、搭載スペースの縮小が要求される一方で、車載電装機器の増加や多機能化に対応する必要があり、狭いケース（箱本体）内に多数の電線群が挿入されてヒューズやリレー等に接続されている。
【０００３】
この種の電気接続箱としては、例えば、複数のヒューズ等の実装部品を上面側に装着可能な配電ブロックを枠状のケースに一体的に設けるとともに、そのケースの下部に係止されるロアカバーに、配電ブロックの下面側に接続された電線群を所定方向に導出するための導出ガイド部を設けたものが知られている（例えば、特許文献１参照）。
【先行技術文献】
【特許文献】
【０００４】
【特許文献１】特開２００１−３５２６４０号公報
【発明の概要】
【発明が解決しようとする課題】
【０００５】
しかしながら、上述のような従来の電気接続箱にあっては、電線群をケース外に導出する導出ガイド部付きのハーネス出入口の近傍では、電線群が入り組んだり絡んだりすることが有効に抑制されるものの、配電ユニットがハーネス出入口から離れた場合等に、配電ユニットに接続された電線がケース内で入り組んで余長の調整がし難くなったり、電線がロアカバーの閉蓋時にケース側に噛み込み易くなったりするという問題があった。
【０００６】
特に、ハイグレードな車両にオプションで搭載される車載電装品用の配電ユニット（以下、オプションボックスともいう）を電気接続箱に装着する場合、その配電ユニットがハーネス出入口から離れることが多いばかりか電線の本数が多くなるため、電線が入り組んでしまい易くなる一方で、車載電装品のオプション装着（後付けを含む）を可能とする十分な余長が必要となることが多い。そのため、オプションボックスに接続される電線が比較的長くなり、ケースにロアカバーが係止されて閉蓋されるときに電線が噛み込まれることが懸念されていた。
【０００７】
本発明は、かかる従来の課題を解決すべくなされたものであり、オプションで装着される配電ユニットの電線のように噛込みが生じ易い電線が含まれる場合でも、その電線が電気接続箱内で入り組んだり周辺部品間に噛み込まれたりするのを確実に防止することができる電気接続箱の電線噛込み防止構造を提供することを目的とする。
【課題を解決するための手段】
【０００８】
本発明に係る電気接続箱は、上記目的達成のため、一面側に電線接続部が形成されるとともに、他面側に電気接続用又は電気回路保護用の部品が実装される部品実装面が形成された配電ブロックと、前記配電ブロックの前記電線接続部に接続する複数の電線と、を備える電気接続箱にあって、前記配電ブロックに対し前記一面側の面方向のうち特定直線方向に変位可能に設けられるとともに、該特定直線方向の一方側に開く凹状の電線ガイド部を形成する第１ガイド部材と、前記第１ガイド部材に対し前記特定直線方向と交差する方向に相対変位および相対位置決め可能に支持された第２ガイド部材と、が設けられ、前記第１ガイド部材および前記第２ガイド部材の間に、前記配電ブロックに近接する追加の電線を案内可能で、かつガイド幅可変の追加の電線ガイド部が形成されていることを特徴とするものである。
【０００９】
この構成により、配電ブロックに近接する追加の電線が存在するとき、ガイド幅可変の追加の電線ガイド部によってその追加の電線を案内可能であり、その電線がケース内で入り組んだり周囲の部品間に噛み込まれたりするのを確実に防止することが可能となる。
【００１０】
本発明の電気接続箱の電線噛込み防止構造においては、前記配電ブロックが、オプション用の配電ユニットが選択的に取り付けられるオプション取付部を有しており、前記配電ブロックの前記オプション取付部に前記オプション用の配電ユニットが取り付けられたとき、前記オプション用の配電ユニットの電線が、前記追加の電線ガイド部によって、前記第１ガイド部材の前記電線ガイド部から出た前記オプション用の配電ユニットの電線に沿うように導出可能な所定方向に案内されているという構成を採用することができる。
【００１１】
したがって、オプション用の配電ユニットが取り付けられたときには、配電ブロックに近接するオプション用の配電ユニットの電線を、ガイド幅可変の追加の電線ガイド部によって配電ブロック側の複数の電線に沿うように案内可能となる。
【００１２】
前記配電ブロックの前記オプション取付部に前記オプション用の配電ユニットが取り付けられるとともに、前記第２ガイド部材が、前記オプション用の配電ユニットに対して、前記配電ブロックの前記一面側から前記特定直線方向に摺動可能に係合していてもよい。その場合、第１ガイド部材が配電ユニットに対して特定直線方向に相対変位するとき、例えばスライドするとき、前記オプション用の配電ユニットの電線を傷付けることなく確実に所定方向に案内可能となる。
【００１３】
本発明は、前記配電ブロックを収納するケースと、前記ケースに対して前記配電ブロックの前記一面側を覆うように装着されたカバー部材と、をさらに備え、前記カバー部材が、前記複数の電線を前記ケースの外部に導出する電線導出部を有するものであってもよい。
【００１４】
この場合、さらに、前記配電ブロックおよびそれに対応する前記電線が、それぞれ前記ケース内に複数設けられることで、車両に搭載される配電ユニットが構成されてもよい。
【発明の効果】
【００１５】
本発明によれば、オプションで装着される配電ユニットの電線のように噛込みが生じ易い電線が含まれる場合でも、その電線が電気接続箱内で入り組んだり周辺部品間に噛み込まれたりするのを確実に防止することができる電気接続箱の電線噛込み防止構造を提供することができる。
【図面の簡単な説明】
【００１６】
【図１】本発明の一実施の形態に係る電気接続箱の要部を電線接続面側から見たその要部斜視図である。
【図２】本発明の一実施の形態に係る電気接続箱における第１ガイド部および第２ガイド部を配電ブロックの電線接続面側に設けた要部下面図で、第１ガイド部および第２ガイド部によって形成される追加のガイド部が開いた状態を示している。
【図３】図２に示した要部における追加のガイド部が閉じた状態を示している。
【図４】図２のＩＶ−ＩＶ矢視断面図である。
【図５】本発明の一実施の形態に係る電気接続箱のケースを含む要部の側面断面図である。
【図６】本発明の一実施の形態に係る電気接続箱のケース本体にロアカバーを装着し、アッパカバーを外した状態を示す要部斜視図である。
【発明を実施するための形態】
【００１７】
以下、本発明を実施するための形態について図面を参照しつつ説明する。
【００１８】
（一実施の形態）
図１ないし図６は、本発明の一実施の形態に係る電気接続箱１０を示している。
【００１９】
図１および図６に示す電気接続箱１０は、車両に搭載される複数の電装品とバッテリー等の電源との間に介装されるもので、例えばパワーシートやパワーウィンドウ等の運転席周辺の複数の車載電装品に給配電する回路に、ヒューズボックスあるいはリレーボックス等として設けられている。
【００２０】
また、電気接続箱１０は、複数のスイッチングデバイス等の実装部品５１、５２（図６参照）を介して配電を行うための配電ブロック１１と、ケース１２および複数の実装部品５１、５２を収納する樹脂（合成樹脂）製のケース１２と、それぞれケース１２内に引き込まれて実装部品５１、５２に電気接続され、電源側から実装部品５１、５２への給電線や各車載電装品側への配電線等となる複数の電線１３ａを有する電線群１３とを含んで構成されている。
【００２１】
ここで、実装部品５１、５２は、例えばリレーやヒューズであるが、同等な機能を発揮できる半導体スイッチ等でもよい。ただし、そのような実装部品５１、５２の構成自体は、公知のものと同様であり、車載電装品も、特定のものに限定されるものではない。
【００２２】
複数の実装部品５１、５２は、例えばその部品機能や給配電先に応じて配置され、配電ブロック１１を介してケース本体２１に対し着脱可能に保持されている。なお、配電ブロック１１には、複数の同種または異種の実装部品が実装され得るが、図中では、配電ブロック１１に実装される複数の実装部品を実装部品５１として図示している。
【００２３】
配電ブロック１１には、その上下いずれか一方の接続面１１ｃ側（一面側）に電線接続部１１ａが形成されるとともに、他方の接続面１１ｄ側（他面側）に電気接続用又は電気回路保護用の実装部品５１、５２が実装される部品実装面１１ｂが形成されている。この配電ブロック１１には、図示しない接続端子、配線、バスバー等の接続用部品のいずれか１つまたは複数が埋め込まれている。そして、例えば、実装部品５１、５２のいずれかが上面側の部品実装面１１ｂに実装されたとき、これを下面側の電線接続部１１ａに接続された複数の電線１３ａのうち対応する電線１３ａに電気接続することができるようになっている。
【００２４】
また、配電ブロック１１は、その周平面上の一部に、後述するオプション用の配電ユニット３１が選択的に取り付けられるオプション取付部１１ｊを有している。
【００２５】
ケース１２は、複数の実装部品５１、５２を収納する略多角形の枠状のケース本体２１と、ケース本体２１の上下にスナップロック方式等で離脱可能に係止されたアッパカバー２２およびロアカバー２３とによって構成されている。
【００２６】
すなわち、ケース本体２１の上方側にアッパカバー２２が装着されることで、ケース本体２１内の複数の実装部品５１、５２の実装面側が覆われており、ケース本体２１の下方側にロアカバー２３が装着されることで、ケース本体２１内に引き込まれた電線群１３と配電ブロック１１の電線接続面側が覆われている。
【００２７】
ロアカバー２３は、ケース本体２１の下方側に装着された状態で、ケース本体２１と共に開口部２４ａを有する筒状部２４を形成しており、この筒状部２４の開口部２４ａを通して電線群１３がケース１２内に引き込まれている。すなわち、ケース１２のケース本体２１に対して配電ブロック１１の一方の接続面１１ｃを覆うように装着されたロアカバー２３は、複数の電線１３ａ等をケース１２の外部に導出する電線導出部として筒状部２４を有している。
【００２８】
また、ケース１２内に引き込まれた電線群１３の一端部は、複数の配電ブロック１１等に対応する複数の電線束に分割されている。ケース１２の外方に出ている電線群１３の残部のうち図示しない他端側部分には、例えば車載電装品のアクチュエータ類その他の電気負荷に接続するためのコネクタ等が装着されている。
【００２９】
電線群１３の各電線束は、対応する配電ブロック、例えば配電ブロック１１の下面側の図示しない接続端子やコネクタ等の電線接続部１１ａに接続されている。なお、図１中では、各電線接続部１１ａを四角形で示しているが、接続の形態や数は任意である。
【００３０】
電気接続箱１０は、このように、ケース本体２１、アッパカバー２２およびロアカバー２３を有するケース１２に筒状部２４が形成されたものであり、その筒状部２４を通してケース１２内に電線群１３が引き込まれている。そして、電線群１３は、前述の電源から各車載電装品への給配電用のワイヤハーネスを構成している。
【００３１】
一方、ケース１２のケース本体２１とロアカバー２３との間には、配電ブロック１１の電線接続部１１ａを覆うように、電線群１３のうち配電ブロック１１に対応する複数の電線１３ａの配線経路を規制する第１ガイド部材２５が設けられている。
【００３２】
この第１ガイド部材２５は、配電ブロック１１に対しその一方の接続面の面方向のうち特定直線方向Ｍ（図１参照）に変位可能に設けられるとともに、その特定直線方向Ｍの一方側に開く凹状の電線ガイド部２５ａを形成している。
【００３３】
具体的には、配電ブロック１１の一方の接続面１１ｃ側の両側縁部には、横断面形状が逆Ｔ字形状または逆錐台形状をなすとともに互いに平行に特定直線方向Ｍに延びる一対のガイドレール１１ｒが設けられている。また、配電ブロック１１には、第１ガイド部材２５がガイドレール１１ｒに沿って装着されるとき、第１ガイド部材２５を定位置に停止させるストッパ部１１ｅ（図２参照）が設けられている。
【００３４】
第１ガイド部材２５の電線ガイド部２５ａの内奥側には、略Ｌ字形に屈曲した板状の第２ガイド部材２６が設けられている。なお、ここで、第２ガイド部材２６は直交する一対の平板を結合したような形状をなしているが、曲面形状をなすものであってもよいことはいうまでもなく、要求されるガイドの範囲および方向に応じた形状に設定され得る。
【００３５】
この第２ガイド部材２６は、第１ガイド部材２５に対して図１中の上面（一方の接続面）の面方向のうちいずれかの直線方向Ｎ（特定直線方向に対し交差する方向）に相対変位および相対位置決めできるように支持されている。
【００３６】
第１ガイド部材２５および第２ガイド部材２６は、これら双方がスライド可能に凹凸係合する部分の少なくとも一部に弾性要素を含んでおり、例えば第２ガイド部材２６に図１中に示すような波形断面の帯状凹凸面２６ａを有する可動板部２６ｂが設けられ、第１ガイド部材２５には可動板部２６ｂを直線方向Ｎに挿入可能な嵌合孔部２５ｂが設けられている。
【００３７】
第１ガイド部材２５の嵌合孔部２５ｂおよび第２ガイド部材２６の可動板部２６ｂのうちいずれか一方は、直線方向Ｎへの可動板部２６ｂの挿入力が所定値以上に達するとき、嵌合孔部２５ｂへの可動板部２６ｂの挿入を許容するよう部分的に弾性変形して、第１ガイド部材２５と可動板部２６ｂとを直線方向Ｎに相対変位させるようになっている。
【００３８】
また、第１ガイド部材２５の嵌合孔部２５ｂおよび第２ガイド部材２６の可動板部２６ｂのうちいずれか一方は、直線方向Ｎへの可動板部２６ｂの挿入力が所定値未満であるとき、嵌合孔部２５ｂへの可動板部２６ｂの挿入を規制可能な弾性回復状態もしくは微少弾性変形状態となり、第１ガイド部材２５と可動板部２６ｂとを直線方向Ｎに相対位置決めするようになっている。
【００３９】
さらに、第２ガイド部材２６の可動板部２６ｂが波形断面の帯状凹凸面２６ａを有することで、帯状凹凸面２６ａの波長に対応する所定のピッチで前述の弾性変形量が変化し、可動板部２６ｂがその所定ピッチごとに位置決め可能に直線移動できるようになっている。
【００４０】
このような移動機構自体は、例えば嵌合孔部２５ｂの一部に帯状凹凸面２６ａに噛み合う凸状のばね部、あるいは、ばねで帯状凹凸面２６ａに押し付けられた可動部を設けることで、容易に達成できるが、公知の同様な機構に置き換え得るものである。
【００４１】
一方、第１ガイド部材２５および第２ガイド部材２６の間には、配電ブロック１１に近接する追加の電線、例えばオプション用の配電ユニット３１の電線３１ａを案内可能で、かつガイド幅可変の追加の電線ガイド部２７が形成されている。
【００４２】
具体的には、図１に示すように、配電ブロック１１のオプション取付部１１ｊにオプション用の配電ユニット３１が取り付けられたときには、オプション用の配電ユニット３１の電線３１ａが、追加の電線ガイド部２７によって、第１ガイド部材２５の電線ガイド部２５ａから出た配電ブロック１１側の標準搭載品配電用の電線１３ａに沿うように導出可能な所定方向に案内され、経路規制されるようになっている。
【００４３】
また、配電ブロック１１のオプション取付部１１ｊにオプション用の配電ユニット３１が取り付けられたとき、第２ガイド部材２６は、オプション用の配電ユニット３１の下側側縁の角部３１ｂの特定直線方向Ｍにおける全域に対して、配電ブロック１１の下面側および側方（図１中の上面側および右側）から特定直線方向Ｍに摺動可能に係合している。
【００４４】
なお、配電ブロック１１のオプション取付部１１ｊにオプション用の配電ユニット３１が取り付けられたときには、オプション用の配電ユニット３１は、配電ブロック１１のオプション取付部１１ｊに凹凸嵌合、ねじ締結その他の任意の取付け方法で取り付けられてもよい。また、オプション用の配電ユニット３１と第２ガイド部材２６の可動板部２６ｂとは、図中では特定直線方向Ｍにおいて電線３１ａの直径より大きい所定値以上の離間距離を隔てているが、その隙間がなくてもよい。さらに、一端開放のカバー状の第１ガイド部材２５には、オプション用の配電ユニット３１の電線３１ａが配電ブロック１１側の電線１３ａに沿うように方向付けられるときにその電線３１ａが可動板部２６ｂ側に接近するのを制限する段差面２５ｄが形成されていてもよい。
【００４５】
また、図５中では、ケース１２のケース本体２１に配電ブロック１１のみを収納した状態を図示しているが、ケース１２内に配電ブロック１１とは別に機能や接続先が異なる他の配電ブロックが収納され得ることはいうまでもない。
【００４６】
次に、作用について説明する。
【００４７】
上述のように構成された本実施形態の電気接続箱の電線噛込み防止機構においては、配電ブロック１１に近接する追加の電線、例えばオプション用の配電ユニット３１の電線３１ａが存在するとき、ガイド幅可変の追加の電線ガイド部２７によってその追加の電線３１ａを容易にかつ的確に案内でき、その電線３１ａがケース１２内で入り組んだり周囲の部品間に噛み込まれたりするのを確実に防止できることとなる。
【００４８】
特に、本実施形態では、配電ブロック１１のオプション取付部１１ｊにオプション用の配電ユニット３１が取り付けられたとき、オプション用の配電ユニット３１の電線３１ａが、追加の電線ガイド部２７によって、第１ガイド部材２５の電線ガイド部２５ａから出た配電ブロック１１側の標準搭載品配電用の電線１３ａに沿うように導出できるよう、所定方向に案内される。したがって、配電ブロック１１に近接するオプション用の配電ユニット３１の電線３１ａを、ガイド幅可変の追加の電線ガイド部２７によって標準搭載品への配電用の複数の電線１３ａに沿うように案内可能となる。
【００４９】
また、第２ガイド部材２６が、オプション用の配電ユニット３１に対して、配電ブロック１１の一方の接続面１１ｃ側から特定直線方向Ｍに摺動可能に係合しているので、第１ガイド部材２５が配電ユニットに対して特定直線方向Ｍに、特にストッパ部１１ｅに接近する側にスライドするとき、オプション用の配電ユニット３１の電線３１ａを傷付けることなく確実に前述の所定方向に案内することができる。
【００５０】
加えて、本実施形態では、配電ブロック１１を収納するケース１２に対して配電ブロック１１の一方の接続面１１ｃを覆うように装着されたロアカバー２３が、複数の電線１３ａをケース１２の外部に導出する筒状部２４を有しているので、配電ブロック１１側の複数の電線１３ａにオプション用の配電ユニット３１の電線３１ａを沿わせつつ、他の配電ブロックからの電線と共に、入り組ませることなく導出することができる。
【００５１】
このように、本実施形態においては、オプションで装着される配電ユニット３１の電線３１ａのように噛込みが生じ易い比較的長い電線が含まれる場合でも、電線１３ａや電線３１ａがケース１２内で入り組んだり周辺部品間、例えばケース本体２１とロアカバー２３の間に噛み込まれたりするのを確実に防止することができる。
【００５２】
また、第１ガイド部材２５の電線ガイド部２５ａおよび追加の電線ガイド部２７が互いに同方向に開く凹状をなすので、配電ブロック１１に対して特定直線方向Ｍにスライドするときに、オプション用の配電ユニット３１の電線３１ａを傷付けることなく追加の電線ガイド部２７によって所定方向に確実に案内することができる。
【００５３】
なお、上述の各実施の形態では、第１ガイド部材２５を配電ブロック１１側のガイドレール１１ｒにスライド可能に嵌合させるものとしたが、第１ガイド部材２５側にガイドレールを設けて配電ブロック１１側の溝に係合させるように凹凸を逆にしてもよいし、その凹凸の方向を配電ブロック１１の上下方向でなく前後または左右方向としてもよい。また、第１ガイド部２５は、配電ブロック１１に対し特定直線方向Ｍに直線変位（スライド）するものとしたが、直線変位する第１ガイド部材２５が配電ブロック１１に対し多少回動したり上下にも変位しつつ特定直線方向Ｍに変位したりするような係合態様も考えられる。
【００５４】
また、本発明にいう追加の電線は、配電ブロックに支持されるオプション装着用の配電ユニットの電線に限らず、例えば配電ブロック１１がケース１２内に収納される時に第１ガイド部材２５に近接することになる他の配電ブロックからの電線等であってもよい。
【００５５】
さらに、第２ガイド部材２６の可動板部２６ｂは、一方側の接続面１１ｃの接続面方向において特定直線方向Ｍにスライド可能な第１ガイド部材２５に対してこれと直交する直線方向Ｎに直線変位および相対位置決め可能なものとしたが、第２ガイド部材２６の可動板部２６ｂの移動方向は、その接続面方向に沿ったものでなくてもよく、直線変位でなく曲率半径の大きい回動方向等への移動であってもよい。ただし、いずれの場合も、第２ガイド部材２６の第１ガイド部材２５からの突出量およびこれらの間の追加の電線ガイド部２７のガイド幅は、可変であり、第２ガイド部材２６の移動方向は、特定直線方向に対し所定交差角（０度でない）をなして交差する方向となる。
【００５６】
以上説明したように、本発明は、オプションで装着される配電ユニットの電線のように噛込みが生じ易い電線が含まれる場合でも、その電線が電気接続箱内で入り組んだり周辺部品間に噛み込まれたりするのを確実に防止することができるものであり、オプションで搭載される車載電装品用の配電ユニットを装着可能な場合に好適な電気接続箱の電線噛込み防止構造全般に有用である。
【符号の説明】
【００５７】
１０  電気接続箱
１１  配電ブロック
１１ａ  電線接続部
１１ｂ  部品実装面
１１ｃ  一方側の接続面
１１ｄ  他方側の接続面
１１ｅ  ストッパ部
１１ｊ  オプション取付部
１１ｒ  ガイドレール
１２  ケース
１３  電線群
１３ａ  電線
２１  ケース本体
２２  アッパカバー
２３  ロアカバー（カバー部材）
２４  筒状部
２４ａ  開口部
２５  第１ガイド部材
２５ａ  電線ガイド部
２５ｂ  嵌合孔部
２６  第２ガイド部材
２６ａ  帯状凹凸面
２６ｂ  可動板部
２７  追加の電線ガイド部
３１  配電ユニット
３１ａ  電線
３１ｂ  下側側縁の角部
５１、５２  実装部品（電気接続用又は電気回路保護用の部品）
【図１】
2018085821.tif 000003
【図２】
2018085821.tif 000004
【図３】
2018085821.tif 000005
【図４】
2018085821.tif 000006
【図５】
2018085821.tif 000007
【図６】
2018085821.tif 000008